(57)【要約】【課題】複数の機器の少なくともいずれかの機器が制御されたと仮定したときの各機器の電力使用量の推定値を、当該機器が実際に制御される前に表示する。【解決手段】表示システム１において、取得部３２は各機器４の電力情報を取得する。第１の演算部３３１は総電力使用量を演算する。第１の作成部３４１は、機器４ごとに、電力使用量の大きさに応じて長さを規定した第１の図形データを作成する。第１の表示部２１１は、各機器４の第１の図形を連結した状態で表示する。操作部２２は、選択図形を選択する操作を受け付ける。第２の演算部３３２は、機器４ごとに、当該選択図形に対応する機器４が制御されたと仮定したときの電力使用量の推定値を演算する。第２の作成部３４２は、機器４ごとに、当該推定値の大きさに応じて長さを規定した第２の図形データを作成する。第２の表示部２１２は、各機器４の第２の図形を連結した状態で第１の図形と同時に表示する。【選択図】図１
2014087111.tif 000002
【特許請求の範囲】
【請求項１】
複数の機器の各々の電力使用量に関する電力情報を取得する取得部と、
前記取得部で取得された前記電力情報を用いて前記複数の機器の総電力使用量を演算する第１の演算部と、
前記取得部で取得された前記電力情報を用いて、前記複数の機器の各々について、前記電力使用量の大きさに応じて所定方向の長さを規定した第１の図形データを作成する第１の作成部と、
前記第１の作成部で前記複数の機器の各々について作成された前記第１の図形データに基づく第１の図形を前記所定方向に連結した状態で前記複数の機器の総電力使用量と同時に表示する第１の表示部と、
前記第１の表示部に表示されている前記第１の図形の少なくとも１つを選択図形として選択する操作を受け付ける操作部と、
前記操作部で前記操作が受け付けられた場合に、前記複数の機器の各々について、前記選択図形に対応する機器が制御されたと仮定したときの電力使用量の推定値を演算する第２の演算部と、
前記複数の機器の各々について、前記第２の演算部で演算された前記推定値の大きさに応じて前記所定方向の長さを規定した第２の図形データを作成する第２の作成部と、
前記第２の作成部で前記複数の機器の各々について作成された前記第２の図形データに基づく第２の図形を前記所定方向に連結した状態で前記第１の図形と並べて表示する第２の表示部と
を備えることを特徴とする表示システム。
【請求項２】
前記操作部で前記操作が受け付けられた場合に、前記選択図形に対応する機器が制御されたと仮定したときの前記複数の機器の総電力使用量の推定値を演算する第３の演算部と、
前記第３の演算部で演算された前記総電力使用量の推定値を表示する第３の表示部と
をさらに備えることを特徴とする請求項１記載の表示システム。
【請求項３】
前記操作部で前記操作が受け付けられた場合に、前記選択図形に対応する機器を制御する機器制御部をさらに備えることを特徴とする請求項１または２記載の表示システム。
【請求項４】
前記複数の機器の各々の特性に関する特性情報を記憶する特性記憶部をさらに備え、
前記機器制御部は、前記選択図形に対応する機器の前記特性情報を用いて当該機器を制御する
ことを特徴とする請求項３記載の表示システム。
【請求項５】
過去の前記電力情報を記憶する履歴記憶部をさらに備え、
前記第１の表示部は、現在および過去の前記第１の図形を時系列に表示する
ことを特徴とする請求項１〜４のいずれか１項に記載の表示システム。
【請求項６】
前記総電力使用量の上限値を設定するピーク設定部をさらに備え、
前記第１の表示部は、前記ピーク設定部で設定された前記上限値を表示する
ことを特徴とする請求項１〜５のいずれか１項に記載の表示システム。
【請求項７】
前記総電力使用量の上限値を設定するピーク設定部をさらに備え、
前記機器制御部は、前記総電力使用量が前記ピーク設定部で設定された前記上限値を超えないように前記複数の機器の少なくとも１つを制御する
ことを特徴とする請求項３または４記載の表示システム。
【請求項８】
前記ピーク設定部は、前記上限値を外部から取得して設定することを特徴とする請求項６または７記載の表示システム。
【請求項９】
操作表示装置とともに用いられる表示制御装置であって、
複数の機器の各々の電力使用量に関する電力情報を取得する取得部と、
前記取得部で取得された前記電力情報を用いて前記複数の機器の総電力使用量を演算する第１の演算部と、
前記取得部で取得された前記電力情報を用いて、前記複数の機器の各々について、前記電力使用量の大きさに応じて所定方向の長さを規定した第１の図形データを作成する第１の作成部と、
前記第１の作成部で前記複数の機器の各々について作成された前記第１の図形データに基づく第１の図形を前記所定方向に連結した状態で前記複数の機器の総電力使用量と同時に表示するように前記操作表示装置を制御する第１の表示制御部と、
前記操作表示装置に表示されている前記第１の図形の少なくとも１つを選択図形として選択する操作を前記操作表示装置で受け付けられた場合に、前記複数の機器の各々について、前記選択図形に対応する機器が制御されたと仮定したときの電力使用量の推定値を演算する第２の演算部と、
前記複数の機器の各々について、前記第２の演算部で演算された前記推定値の大きさに応じて前記所定方向の長さを規定した第２の図形データを作成する第２の作成部と、
前記第２の作成部で前記複数の機器の各々について作成された前記第２の図形データに基づく第２の図形を前記所定方向に連結した状態で前記第１の図形と同時に表示するように前記操作表示装置を制御する第２の表示制御部と
を備えることを特徴とする表示制御装置。
【請求項１０】
表示制御装置とともに用いられる操作表示装置であって、
前記表示制御装置の制御に従って、複数の機器の各々について、電力使用量の大きさに応じて所定方向の長さが規定された第１の図形を当該所定方向に連結した状態で前記複数の機器の総電力使用量と同時に表示する第１の表示部と、
前記第１の表示部に表示されている前記第１の図形の少なくとも１つを選択図形として選択する操作を受け付ける操作部と、
前記表示制御装置の制御に従って、前記複数の機器の各々について、前記選択図形に対応する機器が制御されたと仮定したときの電力使用量の推定値の大きさに応じて前記所定方向の長さを規定した第２の図形を当該所定方向に連結した状態で前記第１の図形と同時に表示する第２の表示部と
を備えることを特徴とする操作表示装置。
【請求項１１】
コンピュータを、
複数の機器の各々の電力使用量に関する電力情報を取得する取得部、
前記取得部で取得された前記電力情報を用いて前記複数の機器の総電力使用量を演算する第１の演算部、
前記取得部で取得された前記電力情報を用いて、前記複数の機器の各々について、前記電力使用量の大きさに応じて所定方向の長さを規定した第１の図形データを作成する第１の作成部、
前記第１の作成部で前記複数の機器の各々について作成された前記第１の図形データに基づく第１の図形を前記所定方向に連結した状態で前記複数の機器の総電力使用量と同時に表示する第１の表示部、
前記第１の表示部に表示されている前記第１の図形の少なくとも１つを選択図形として選択する操作を受け付ける操作部、
前記操作部で前記操作が受け付けられた場合、前記複数の機器の各々について、前記選択図形に対応する機器が制御されたと仮定したときの電力使用量の推定値を演算する第２の演算部、
前記複数の機器の各々について、前記第２の演算部で演算された前記推定値の大きさに応じて前記所定方向の長さを規定した第２の図形データを作成する第２の作成部、および、
前記第２の作成部で前記複数の機器の各々について作成された前記第２の図形データに基づく第２の図形を前記所定方向に連結した状態で前記第１の図形と同時に表示する第２の表示部
として機能させるためのプログラム。
【請求項１２】
操作表示装置とともに用いられるコンピュータを、
複数の機器の各々の電力使用量に関する電力情報を取得する取得部、
前記取得部で取得された前記電力情報を用いて前記複数の機器の総電力使用量を演算する第１の演算部、
前記取得部で取得された前記電力情報を用いて、前記複数の機器の各々について、前記電力使用量の大きさに応じて所定方向の長さを規定した第１の図形データを作成する第１の作成部、
前記第１の作成部で前記複数の機器の各々について作成された前記第１の図形データに基づく第１の図形を前記所定方向に連結した状態で前記複数の機器の総電力使用量と同時に表示するように前記操作表示装置を制御する第１の表示制御部、
前記操作表示装置に表示されている前記第１の図形の少なくとも１つを選択図形として選択する操作を前記操作表示装置で受け付けられた場合、前記複数の機器の各々について、前記選択図形に対応する機器が制御されたと仮定したときの電力使用量の推定値を演算する第２の演算部、
前記複数の機器の各々について、前記第２の演算部で演算された前記推定値の大きさに応じて前記所定方向の長さを規定した第２の図形データを作成する第２の作成部、および、
前記第２の作成部で前記複数の機器の各々について作成された前記第２の図形データに基づく第２の図形を前記所定方向に連結した状態で前記第１の図形と同時に表示するように前記操作表示装置を制御する第２の表示制御部
として機能させるためのプログラム。
【請求項１３】
表示制御装置とともに用いられるコンピュータを、
前記表示制御装置の制御に従って、複数の機器の各々について、電力使用量の大きさに応じて所定方向の長さが規定された第１の図形を当該所定方向に連結した状態で前記複数の機器の総電力使用量と同時に表示する第１の表示部、
前記第１の表示部に表示されている前記第１の図形の少なくとも１つを選択図形として選択する操作を受け付ける操作部、および、
前記表示制御装置の制御に従って、前記複数の機器の各々について、前記選択図形に対応する機器が制御されたと仮定したときの電力使用量の推定値の大きさに応じて前記所定方向の長さを規定した第２の図形を当該所定方向に連結した状態で前記第１の図形と同時に表示する第２の表示部
として機能させるためのプログラム。
【発明の詳細な説明】
【技術分野】
【０００１】
本発明は、複数の機器の各々の電力使用量を区別して表示する表示システム、表示制御装置、操作表示装置およびプログラムに関する。
【背景技術】
【０００２】
従来から、使用電力量を表示するシステムが知られている（例えば特許文献１参照）。特許文献１に記載されたシステムは、使用電力量の一週間分の集計値を曜日別に表示することができる。
【先行技術文献】
【特許文献】
【０００３】
【特許文献１】特開２０１０−２１１４１９号公報
【発明の概要】
【発明が解決しようとする課題】
【０００４】
しかしながら、従来のシステムは、複数の機器の少なくともいずれかの機器が制御されたと仮定したときの各機器の電力使用量の推定値を、当該機器が実際に制御される前に表示することができなかった。このため、ユーザは、制御対象の機器が実際に制御される前後での各機器の電力使用量の変化を事前に確認することができなかった。
【０００５】
本発明は上記の点に鑑みて為された発明であり、本発明の目的は、複数の機器の少なくともいずれかの機器が制御されたと仮定したときの各機器の電力使用量の推定値を、当該機器が実際に制御される前に表示することができる表示システム、表示制御装置、操作表示装置およびプログラムを提供することにある。
【課題を解決するための手段】
【０００６】
本発明の表示システムは、複数の機器の各々の電力使用量に関する電力情報を取得する取得部と、前記取得部で取得された前記電力情報を用いて前記複数の機器の総電力使用量を演算する第１の演算部と、前記取得部で取得された前記電力情報を用いて、前記複数の機器の各々について、前記電力使用量の大きさに応じて所定方向の長さを規定した第１の図形データを作成する第１の作成部と、前記第１の作成部で前記複数の機器の各々について作成された前記第１の図形データに基づく第１の図形を前記所定方向に連結した状態で前記複数の機器の総電力使用量と同時に表示する第１の表示部と、前記第１の表示部に表示されている前記第１の図形の少なくとも１つを選択図形として選択する操作を受け付ける操作部と、前記操作部で前記操作が受け付けられた場合に、前記複数の機器の各々について、前記選択図形に対応する機器が制御されたと仮定したときの電力使用量の推定値を演算する第２の演算部と、前記複数の機器の各々について、前記第２の演算部で演算された前記推定値の大きさに応じて前記所定方向の長さを規定した第２の図形データを作成する第２の作成部と、前記第２の作成部で前記複数の機器の各々について作成された前記第２の図形データに基づく第２の図形を前記所定方向に連結した状態で前記第１の図形と並べて表示する第２の表示部とを備えることを特徴とする。
【０００７】
この表示システムにおいて、前記操作部で前記操作が受け付けられた場合に、前記選択図形に対応する機器が制御されたと仮定したときの前記複数の機器の総電力使用量の推定値を演算する第３の演算部と、前記第３の演算部で演算された前記総電力使用量の推定値を表示する第３の表示部とをさらに備えることが好ましい。
【０００８】
この表示システムにおいて、前記操作部で前記操作が受け付けられた場合に、前記選択図形に対応する機器を制御する機器制御部をさらに備えることが好ましい。
【０００９】
この表示システムにおいて、前記複数の機器の各々の特性に関する特性情報を記憶する特性記憶部をさらに備え、前記機器制御部は、前記選択図形に対応する機器の前記特性情報を用いて当該機器を制御することが好ましい。
【００１０】
この表示システムにおいて、過去の前記電力情報を記憶する履歴記憶部をさらに備え、前記第１の表示部は、現在および過去の前記第１の図形を時系列に表示することが好ましい。
【００１１】
この表示システムにおいて、前記総電力使用量の上限値を設定するピーク設定部をさらに備え、前記第１の表示部は、前記ピーク設定部で設定された前記上限値を表示することが好ましい。
【００１２】
この表示システムにおいて、前記総電力使用量の上限値を設定するピーク設定部をさらに備え、前記機器制御部は、前記総電力使用量が前記ピーク設定部で設定された前記上限値を超えないように前記複数の機器の少なくとも１つを制御することが好ましい。
【００１３】
この表示システムにおいて、前記ピーク設定部は、前記上限値を外部から取得して設定することが好ましい。
【００１４】
本発明の表示制御装置は、操作表示装置とともに用いられる表示制御装置であって、複数の機器の各々の電力使用量に関する電力情報を取得する取得部と、前記取得部で取得された前記電力情報を用いて前記複数の機器の総電力使用量を演算する第１の演算部と、前記取得部で取得された前記電力情報を用いて、前記複数の機器の各々について、前記電力使用量の大きさに応じて所定方向の長さを規定した第１の図形データを作成する第１の作成部と、前記第１の作成部で前記複数の機器の各々について作成された前記第１の図形データに基づく第１の図形を前記所定方向に連結した状態で前記複数の機器の総電力使用量と同時に表示するように前記操作表示装置を制御する第１の表示制御部と、前記操作表示装置に表示されている前記第１の図形の少なくとも１つを選択図形として選択する操作を前記操作表示装置で受け付けられた場合に、前記複数の機器の各々について、前記選択図形に対応する機器が制御されたと仮定したときの電力使用量の推定値を演算する第２の演算部と、前記複数の機器の各々について、前記第２の演算部で演算された前記推定値の大きさに応じて前記所定方向の長さを規定した第２の図形データを作成する第２の作成部と、前記第２の作成部で前記複数の機器の各々について作成された前記第２の図形データに基づく第２の図形を前記所定方向に連結した状態で前記第１の図形と同時に表示するように前記操作表示装置を制御する第２の表示制御部とを備えることを特徴とする。
【００１５】
本発明の操作表示装置は、表示制御装置とともに用いられる操作表示装置であって、前記表示制御装置の制御に従って、複数の機器の各々について、電力使用量の大きさに応じて所定方向の長さが規定された第１の図形を当該所定方向に連結した状態で前記複数の機器の総電力使用量と同時に表示する第１の表示部と、前記第１の表示部に表示されている前記第１の図形の少なくとも１つを選択図形として選択する操作を受け付ける操作部と、前記表示制御装置の制御に従って、前記複数の機器の各々について、前記選択図形に対応する機器が制御されたと仮定したときの電力使用量の推定値の大きさに応じて前記所定方向の長さを規定した第２の図形を当該所定方向に連結した状態で前記第１の図形と同時に表示する第２の表示部とを備えることを特徴とする。
【００１６】
本発明のプログラムは、コンピュータを、複数の機器の各々の電力使用量に関する電力情報を取得する取得部、前記取得部で取得された前記電力情報を用いて前記複数の機器の総電力使用量を演算する第１の演算部、前記取得部で取得された前記電力情報を用いて、前記複数の機器の各々について、前記電力使用量の大きさに応じて所定方向の長さを規定した第１の図形データを作成する第１の作成部、前記第１の作成部で前記複数の機器の各々について作成された前記第１の図形データに基づく第１の図形を前記所定方向に連結した状態で前記複数の機器の総電力使用量と同時に表示する第１の表示部、前記第１の表示部に表示されている前記第１の図形の少なくとも１つを選択図形として選択する操作を受け付ける操作部、前記操作部で前記操作が受け付けられた場合、前記複数の機器の各々について、前記選択図形に対応する機器が制御されたと仮定したときの電力使用量の推定値を演算する第２の演算部、前記複数の機器の各々について、前記第２の演算部で演算された前記推定値の大きさに応じて前記所定方向の長さを規定した第２の図形データを作成する第２の作成部、および、前記第２の作成部で前記複数の機器の各々について作成された前記第２の図形データに基づく第２の図形を前記所定方向に連結した状態で前記第１の図形と同時に表示する第２の表示部として機能させるためのプログラムである。
【００１７】
本発明のプログラムは、操作表示装置とともに用いられるコンピュータを、複数の機器の各々の電力使用量に関する電力情報を取得する取得部、前記取得部で取得された前記電力情報を用いて前記複数の機器の総電力使用量を演算する第１の演算部、前記取得部で取得された前記電力情報を用いて、前記複数の機器の各々について、前記電力使用量の大きさに応じて所定方向の長さを規定した第１の図形データを作成する第１の作成部、前記第１の作成部で前記複数の機器の各々について作成された前記第１の図形データに基づく第１の図形を前記所定方向に連結した状態で前記複数の機器の総電力使用量と同時に表示するように前記操作表示装置を制御する第１の表示制御部、前記操作表示装置に表示されている前記第１の図形の少なくとも１つを選択図形として選択する操作を前記操作表示装置で受け付けられた場合、前記複数の機器の各々について、前記選択図形に対応する機器が制御されたと仮定したときの電力使用量の推定値を演算する第２の演算部、前記複数の機器の各々について、前記第２の演算部で演算された前記推定値の大きさに応じて前記所定方向の長さを規定した第２の図形データを作成する第２の作成部、および、前記第２の作成部で前記複数の機器の各々について作成された前記第２の図形データに基づく第２の図形を前記所定方向に連結した状態で前記第１の図形と同時に表示するように前記操作表示装置を制御する第２の表示制御部として機能させるためのプログラムである。
【００１８】
本発明のプログラムは、表示制御装置とともに用いられるコンピュータを、前記表示制御装置の制御に従って、複数の機器の各々について、電力使用量の大きさに応じて所定方向の長さが規定された第１の図形を当該所定方向に連結した状態で前記複数の機器の総電力使用量と同時に表示する第１の表示部、前記第１の表示部に表示されている前記第１の図形の少なくとも１つを選択図形として選択する操作を受け付ける操作部、および、前記表示制御装置の制御に従って、前記複数の機器の各々について、前記選択図形に対応する機器が制御されたと仮定したときの電力使用量の推定値の大きさに応じて前記所定方向の長さを規定した第２の図形を当該所定方向に連結した状態で前記第１の図形と同時に表示する第２の表示部として機能させるためのプログラムである。
【発明の効果】
【００１９】
本発明は、複数の機器の少なくともいずれかの機器が制御されたと仮定したときの各機器の電力使用量の推定値を、当該機器が実際に制御される前に表示することができる。これにより、ユーザは、制御対象の機器が実際に制御される前後での各機器の電力使用量の変化を事前に確認することができる。
【図面の簡単な説明】
【００２０】
【図１】実施形態１に係る表示システムの構成を示すブロック図である。
【図２】実施形態１に係る表示システムの表示画面を示す図である。
【図３】実施形態１に係る表示システムの特性情報を示す図である。
【図４】実施形態１に係る表示システムの特性情報の表示画面を示す図である。
【図５】実施形態２に係る表示システムの構成を示すブロック図である。
【図６】実施形態２に係る表示システムの表示画面を示す図である。
【図７】実施形態２に係る表示システムの動作を示すフローチャートである。
【図８】実施形態３に係る表示システムの表示画面を示す図である。
【図９】実施形態４に係る表示システムの構成を示すブロック図である。
【図１０】実施形態４に係る表示システムのピーク電力目標値の設定画面を示す図である。
【図１１】実施形態４に係る表示システムの動作を示すフローチャートである。
【図１２】実施形態５に係る表示システムの構成を示すブロック図である。
【図１３】実施形態５に係る表示システムのピーク電力目標値の表示画面を示す図である。
【発明を実施するための形態】
【００２１】
以下の実施形態１〜５に係る表示システムは、複数の機器の各々の電力使用量を区別して図形（第１の図形）で表示する。さらに、この表示システムは、当該図形が表示されている画面から制御対象の機器を選択する操作を受け付け、当該機器が制御されたと仮定したときの各機器の電力使用量の推定値を、当該機器が実際に制御される前に図形（第２の図形）で表示する。
【００２２】
以下、図面を参照しながら実施形態１〜５について説明する。
【００２３】
（実施形態１）
実施形態１に係る表示システム１は、図１に示すように、表示機能および操作機能を有する操作表示装置２と、操作表示装置２を制御する表示制御装置３とを備えている。この表示システム１は、例えばＣＰＵ（Central Processing Unit：中央処理装置）およびメモリが搭載されたコンピュータ（マイクロコンピュータを含む）を主構成要素とする。
【００２４】
表示制御装置３は、機器インタフェース部（以下「機器Ｉ／Ｆ部」という）３１と、取得部３２と、演算部３３と、作成部３４と、表示制御部３５と、記憶部３６とを備えている。機器Ｉ／Ｆ部３１には、各々が電力を消費する複数（図示例では３台）の機器４，４，４が接続されている。取得部３２、演算部３３、作成部３４および表示制御部３５は、ＣＰＵを主構成要素とする。演算部３３は、第１の演算部３３１および第２の演算部３３２として機能する。作成部３４は、第１の作成部３４１および第２の作成部３４２として機能する。表示制御部３５は、第１の表示制御部３５１および第２の表示制御部３５２として機能する。
【００２５】
操作表示装置２は、表示機能を有する表示部２１と、操作機能を有する操作部２２とを備えている。表示部２１は、例えば液晶ディスプレイや有機ＥＬ（Electro Luminescence）ディスプレイなどであり、第１の表示部２１１および第２の表示部２１２として機能する。操作部２２は、例えばタッチパネルまたはマウスなどのポインティングデバイスであり、ユーザの操作を受け付ける。
【００２６】
本実施形態に係る表示システム１において、操作表示装置２および表示制御装置３は以下のように動作する。
【００２７】
表示制御装置３において、取得部３２は、機器Ｉ／Ｆ部３１に接続されている複数の機器４，４，４の各々から一定時間ごとに電力情報を取得する。電力情報は、機器４の電力使用量に関する情報である。本実施形態において、電力使用量は、ある時間帯（例えば３０分間など）での電力を積算した電力量（積算電力：単位Ｗｈ）である。なお、取得部３２は、複数の機器を管理する管理装置（図示せず）から電力情報を取得してもよい。この場合、電力情報は、管理装置で管理されている複数の機器の各々の電力使用量に関する情報である。記憶部３６は、取得部３２で取得された電力情報を履歴記憶部３６１に記憶している。履歴記憶部３６１は、過去の電力情報を蓄積している。
【００２８】
第１の演算部３３１は、取得部３２で取得された電力情報を用いて、複数の機器４，４，４の総電力使用量を演算する。すなわち、第１の演算部３３１は、当該電力情報における各機器４の電力使用量の値を用いて、総電力使用量を演算する。
【００２９】
第１の作成部３４１は、取得部３２で取得された電力情報を用いて、機器４ごとに、当該機器４の電力使用量の大きさに応じて所定の第１の方向の長さを規定した矩形状の第１の図形データを作成する。第１の作成部３４１は、電力使用量の大きさに応じて一対の辺の長さが異なるように第１の図形データを作成する。すなわち、電力使用量が大きくなるほど、第１の図形の一対の辺が長くなり、電力使用量が小さくなるほど、第１の図形の一対の辺が短くなる。
【００３０】
第１の表示制御部３５１は、第１の作成部３４１で複数の機器４，４，４の各々について作成された第１の図形データに基づく第１の図形を表示するように操作表示装置２を制御する。この場合、第１の表示制御部３５１は、機器４ごとに作成された第１の図形データに基づく第１の図形を第１の方向に連結した状態で表示するように操作表示装置２を制御する。また、第１の表示制御部３５１は、第１の演算部３３１で演算された総電力使用量を表示するように操作表示装置２を制御する。
【００３１】
操作表示装置２の第１の表示部２１１は、第１の表示制御部３５１の制御に従って、図２に示すように、複数の第１の図形５１，５１，……を第１の方向に連結した状態で表示する。本実施形態では、第１の表示部２１１は、複数の第１の図形５１，５１，……を上下方向に積み重ねた状態で表示する。すなわち、第１の表示部２１１は、複数の第１の図形５１，５１，……を帯グラフのように表示する。また、第１の表示部２１１は、複数の第１の図形５１，５１，……を色分けして表示している。さらに、第１の表示部２１１は、第１の表示制御部３５１の制御に従って、複数の機器４，４，４の総電力使用量を領域５４に表示する。なお、第１の表示部２１１は、第１の方向を左右方向とし、複数の第１の図形５１，５１，……を左右方向に連結した状態で表示してもよい。
【００３２】
複数の第１の図形５１，５１，……の表示としては、各機器４の電力使用量をわかりやすく判別できるような表示が好ましい。例えば、第１の表示部２１１は、複数の第１の図形５１，５１，……を機器４の用途別に分類して積み重ねて表示してもよい。他の例として、第１の表示部２１１は、複数の第１の図形５１，５１，……を機器４の設置場所別に分類して積み重ねて表示してもよい。さらに、他の例として、第１の表示部２１１は、複数の第１の図形５１，５１，……を機器４の電力使用量の大きさの順に積み重ねて表示してもよい。例えば、第１の表示部２１１は、電力使用量の小さい機器４に対応する第１の図形５１ほど下に位置し、電力使用量の大きい機器４に対応する第１の図形５１ほど上に位置するように、複数の第１の図形５１，５１，……を積み重ねて表示する。
【００３３】
操作部２２は、第１の表示部２１１に表示されている複数の第１の図形５１，５１，……の１つを選択図形５２として選択する操作を受け付ける。操作部２２がタッチパネルである場合、ユーザは、制御対象の機器４に対応する第１の図形５１が表示されている領域に触れ、続いて、制御結果表示釦５３を触れることによって、当該第１の図形５１を選択図形５２として選択することができる。すなわち、ユーザは、複数の第１の図形５１，５１，……が表示されている表示画面上で、制御対象の機器４に対応する第１の図形５１を選択図形５２として選択することができる。操作部２２が受け付けた操作情報は、操作表示装置２から表示制御装置３に出力される。なお、操作部２２がマウスである場合、ユーザは、当該マウスを操作して、制御対象の機器４に対応する第１の図形５１が表示されている領域にカーソルを動かした後にクリックすることによって、当該第１の図形５１を選択図形５２として選択することができる。また、操作部２２は、第１の表示部２１１に表示されている複数の第１の図形５１，５１，……の２つ以上を選択図形５２として選択する操作を受け付けてもよい。さらに、制御対象の機器４に対応する第１の図形５１を選択図形５２として選択する操作として、制御結果表示釦５３への操作を省略してもよい。
【００３４】
表示制御装置３の第２の演算部３３２は、選択図形５２を選択する操作が操作部２２で受け付けられた場合に、複数の機器４，４，４の各々について、当該選択図形５２に対応する機器４が制御されたと仮定したときの電力使用量の推定値を演算する。すなわち、第２の演算部３３２は、操作表示装置２から操作情報を取得すると、当該機器４が実際に制御される前に、各機器４の電力使用量の推定値を演算する。この場合、第２の演算部３３２は、複数の機器４，４，４の各々の特性を表わす特性情報６（図３参照）を用いて、機器４ごとに電力使用量の推定値を演算する。記憶部３６の特性記憶部３６２は、特性情報６を記憶する。
【００３５】
特性情報６は、図３に示すように、機器４ごとに、制御可否と制御時間帯と制御モードとシフト可能時間帯とが対応付けられている。機器４を識別する情報は、例えば機種、品番またはシリアル番号などである。制御可否は、表示システム１による制御を認めるか否かを示している。制御「否」の場合、機器４は表示システム１によって制御されない。すなわち、機器４は、表示システム１からの制御要求を無視する。一方、制御「可」の場合、機器４は、制御モードの内容に従って制御される。制御時間帯は、制御「可」の場合に設定されている。制御時間帯としては、例えば年・月・日・時・分・秒が設定されていたり、日中・夜間・終日が設定されていたりする。制御モードは、制御「可」の場合に設定されている。制御モードが「オフ」である場合、機器４はオフ制御される。制御モードが「抑制」である場合、機器４は通常モードから省エネモードに切り替わる。省エネモードは、通常モードよりも電力消費が小さいモードである。制御モードが「シフト」である場合、総電力使用量がピークではない時間帯（シフト可能時間帯）に機器の動作時間帯をシフトする。すなわち、制御モードが「シフト」である場合、機器４は、直ちに動作するのではなく、シフト可能時間帯に動作する。なお、シフト可能時間帯は、総電力使用量がピークではない時間帯（例えば「☆曜日○時△分〜□時▽分」など）に予め設定されていてもよいし、総電力使用量が予め決められた規定値よりも小さくなった時間帯としてもよい。
【００３６】
ユーザは、図４に示す表示画面７１から各機器４の特性情報６を設定したり、変更したりすることができる。ユーザが表示画面７１上で「設定」釦７１１を触れることによって、図４に示す表示画面７１から特性情報６の入力画面（図示せず）に切り替わる。そして、ユーザは、当該入力画面上で特性情報６を設定したり、変更したりすることができる。表示画面７１は、表示制御部３５の制御に従って表示部２１によって表示される。
【００３７】
図１に示す第２の作成部３４２は、複数の機器４，４，４の各々について、第２の演算部３３２で演算された推定値の大きさに応じて所定の第２の方向の長さを規定した矩形状の第２の図形データを作成する。第２の作成部３４２は、電力使用量の推定値の大きさに応じて一対の辺の長さが異なるように第２の図形データを作成する。すなわち、電力使用量の推定値が大きくなるほど、第２の図形の一対の辺が長くなり、電力使用量の推定値が小さくなるほど、第２の図形の一対の辺が短くなる。
【００３８】
第２の表示制御部３５２は、第２の作成部３４２で機器４ごとに作成された第２の図形データに基づく第２の図形を表示するように操作表示装置２を制御する。この場合、第２の表示制御部３５２は、複数の第２の図形を第２の方向に連結した状態で表示するように操作表示装置２を制御する。また、第２の表示制御部３５２は、第２の図形を第１の図形と同時に表示するように操作表示装置２を制御する。
【００３９】
操作表示装置２の第２の表示部２１２は、第２の表示制御部３５２の制御に従って、図２に示すように、複数の第２の図形５５，５５，……を第２の方向に連結した状態で表示する。本実施形態では、第２の表示部２１２は、複数の第２の図形５５，５５，……を上下方向に積み重ねた状態で表示する。すなわち、第２の表示部２１２は、複数の第２の図形５５，５５，……を帯グラフのように表示する。また、第２の表示部２１２は、複数の第２の図形５５，５５，……を色分けして表示している。さらに、第２の表示部２１２は、第２の図形５５を第１の図形５１と同時に表示する。これにより、ユーザが選択した機器４を制御した後の電力使用状況を報知することができる。ここでは、第１の方向と第２の方向とは同じ方向である。なお、第２の表示部２１２は、第２の方向を左右方向とし、複数の第２の図形５５，５５，……を左右方向に連結した状態で表示してもよい。
【００４０】
図１に示す記憶部３６は、履歴記憶部３６１と、特性記憶部３６２とを備えている。履歴記憶部３６１は、上述したように、これまでの電力情報の履歴を記憶している。特性記憶部３６２は、上述したように、特性情報６（図３参照）を記憶している。
【００４１】
また、記憶部３６は、表示システム（コンピュータ）１が各種の機能を実行するためのプログラムを格納している。すなわち、記憶部３６は、表示システム１を操作表示装置２および表示制御装置３として機能させるためのプログラムを格納している。当該プログラムは、表示システム１の出荷時に記憶部３６に予め格納されている。ただし、表示システム１が当該プログラムを出荷後に取得する場合、表示システム１が当該プログラムを取得する手法の一例としては、当該プログラムを記録したコンピュータ読み取り可能な記録媒体を用いる手法がある。記録媒体を用いる手法の場合、表示システム１は、記録媒体のデータを読み取るための読取装置（図示せず）を備えていればよい。記録媒体としては、例えば光ディスクやメモリカードなどがある。読取装置としては、光ディスクの情報を読み出すドライブ装置や、メモリカードの情報を読み出すメモリカードリーダなどがある。また、表示システム１が当該プログラムを取得する他の手法としては、ネットワークを用いて当該プログラムを他の装置（例えばサーバ）からダウンロードする手法がある。当該プログラムをダウンロードする手法の場合、表示システム１は、ネットワークを用いて他の装置と通信するための通信機能を有していればよい。
【００４２】
ところで、表示制御装置３の第２の演算部３３２は、ユーザが選択した選択図形５２（図２参照）に対応する機器４を制御したと仮定したときの複数の機器４，４，４の総電力使用量の推定値を演算する。すなわち、第２の演算部３３２は、選択図形５２を選択する操作が操作部２２で受け付けられた場合に、選択図形５２に対応する機器４が制御されたと仮定したときの複数の機器４，４，４の総電力使用量の推定値を演算する。
【００４３】
第２の表示制御部３５２は、第２の演算部３３２で演算された総電力使用量の推定値を表示するように操作表示装置２を制御する。
【００４４】
操作表示装置２の第２の表示部２１２は、第２の表示制御部３５２の制御に従って、図２に示すように、総電力使用量の推定値を領域５６に表示する。
【００４５】
以上説明した本実施形態の表示システム１は、ユーザが選択した選択図形５２に対応する機器４が制御されたと仮定したときの各機器４の電力使用量の推定値を図形（第２の図形５５）で表示する。これにより、本実施形態の表示システム１では、複数の機器４，４，４の少なくともいずれかの機器４が制御されたと仮定したときの各機器４の電力使用量の推定値を、当該機器４が実際に制御される前に表示することができる。その結果、ユーザは、制御対象の機器４が実際に制御される前後での各機器４の電力使用量の変化を事前に確認することができる。
【００４６】
このような表示システム１によれば、例えば、昨今家庭で求められているピーク電力の削減目標を、生活の快適性にできるだけ支障をきたすことなく簡単かつ確実に実現することができる。
【００４７】
また、本実施形態の表示システム１は、ユーザが選択した選択図形５２に対応する機器４が制御されたと仮定したときの複数の機器４，４，４の総電力使用量の推定値を演算して表示する。これにより、ユーザは、制御前後での総電力使用量の変化を容易に確認することができる。
【００４８】
なお、本実施形態の変形例として、表示システム１は、機器４の制御内容を特性情報６として特性記憶部３６２に予め記憶するのではなく、選択図形５２が選択されたときに選択図形５２に対応する機器４の制御内容の入力を受け付けるようにしてもよい。
【００４９】
（実施形態２）
実施形態２に係る表示システム１は、選択図形５２に対応する機器４を実際に制御する機能を有している点で、実施形態１に係る表示システム１と相違する。なお、実施形態１の表示システム１と同様の構成要素については、同一の符号を付して説明を省略する。
【００５０】
本実施形態の表示制御装置３は、図５に示すように、機器制御部３７を備えている。機器制御部３７は、選択図形５２（図６参照）を選択する操作が操作部２２で受け付けられた場合に、選択図形５２に対応する機器４を制御する。この場合、機器制御部３７は、選択図形５２に対応する機器４の特性情報６（図３参照）に従って、当該機器４を制御する。本実施形態の特性情報６は、実施形態１の特性情報６と同様であり、記憶部３６の特性記憶部３６２に記憶されている。
【００５１】
本実施形態の記憶部３６は、本実施形態の表示システム１を本実施形態の操作表示装置２および本実施形態の表示制御装置３として機能させるためのプログラムを格納している。なお、実施形態１の記憶部３６と同様の機能については説明を省略する。
【００５２】
次に、本実施形態に係る表示システム１において機器４を制御する動作について説明する。まず、ユーザは、表示システム１の表示画面７１（図４参照）で各機器４の特性情報６を設定する。その後、表示システム１は、図６に示すように、複数の第１の図形５１，５１，……を連結した状態で表示する。ユーザは、表示システム１の表示画面上で、制御対象の機器４に対応する第１の図形５１が表示されている領域に触れ、続いて、制御結果表示釦５３を触れることによって、当該第１の図形５１を選択図形５２として選択する。すなわち、表示システム１は、複数の第１の図形５１，５１，……の１つを選択図形５２として選択する操作を受け付ける。その後、表示システム１は、制御対象の機器４が制御されたと仮定したときの電力使用状況および総電力使用量の推定値を演算し、複数の第２の図形５５，５５，……および推定値を表示する。
【００５３】
その後、表示システム１は、図６に示すように、実際に制御してよいか否かの確認画面５７を表示する。ユーザは、表示内容を確認した後、確認画面５７上で、機器４を制御してもよい旨の操作（確認画面５７の「はい」に触れること）を行う。操作部２２が当該操作を受け付けると、機器制御部３７は、特性情報６（図３参照）に従って、選択図形５２に対応する機器４を制御する。機器４は、機器制御部３７の制御に従って動作する。
【００５４】
続いて、機器４を制御する動作の詳細について図７を用いて説明する。まず、機器制御部３７は、記憶部３６から特性情報６を読み込む（Ｓ１）。機器制御部３７は、特性情報６において、制御対象の機器４の制御が許可されているか否かを確認する（Ｓ２）。当該機器４への制御が許可されていない場合（Ｓ２のＮｏ）、機器制御部３７は、当該機器４を制御せずに終了する。
【００５５】
当該機器４への制御が許可されていると（Ｓ２のＹｅｓ）、制御モードが「オフ」である場合、機器制御部３７は、当該機器４をオフにする（Ｓ３）。制御モードが「抑制」である場合、機器制御部３７は、当該機器４のモードを通常モードから省エネモードに切り替える（Ｓ４）。制御モードが「シフト」である場合、機器制御部３７は、当該機器４をシフト可能時間帯に動作させる（Ｓ５）。
【００５６】
以上説明した本実施形態の表示システム１は、ユーザが選択した選択図形５２に対応する機器４を実際に制御する。これにより、本実施形態の表示システム１では、当該機器４をユーザが手動で制御する場合に比べて、機器４の制御を容易に行うことができる。
【００５７】
（実施形態３）
実施形態３に係る表示システム１は、図８に示すように、現在および過去の第１の図形５１，５８を時系列に表示する点で、実施形態２に係る表示システム１と相違する。なお、実施形態２の表示システム１と同様の構成要素については、同一の符号を付して説明を省略する。
【００５８】
本実施形態の第１の作成部３４１は、記憶部３６の履歴記憶部３６１に蓄積されている電力情報を用いて、機器４ごとに、当該機器４の電力使用量の大きさに応じて第１の方向の長さを規定した第１の図形データを作成する。なお、実施形態１の第１の作成部３４１と同様の機能については説明を省略する。
【００５９】
本実施形態の第１の表示制御部３５１は、第１の作成部３４１で作成された第１の図形データに基づいて現在および過去の第１の図形を時系列に表示するように操作表示装置２を制御する。また、第１の表示制御部３５１は、現在の総電力使用量を領域５４に表示すると同時に過去の総電力使用量を領域５９に表示するように操作表示装置２を制御する。なお、実施形態２の第１の表示制御部３５１と同様の機能については説明を省略する。
【００６０】
本実施形態の第１の表示部２１１は、第１の表示制御部３５１の制御に従って、図８に示すように、現在の第１の図形５１および過去の第１の図形５８を時系列に表示する。また、第１の表示部２１１は、第１の表示制御部３５１の制御に従って、現在の総電力使用量を領域５４に表示すると同時に過去の総電力使用量を領域５９に表示する。なお、実施形態２の第１の表示部２１１と同様の機能については説明を省略する。
【００６１】
本実施形態の記憶部３６は、本実施形態の表示システム１を本実施形態の操作表示装置２および表示制御装置３として機能させるためのプログラムを格納している。なお、実施形態２の記憶部３６と同様の機能については説明を省略する。
【００６２】
以上説明した本実施形態の表示システム１は、現在および過去の電力使用量を示す第１の図形５１，５８を時系列に表示する。これにより、各機器４の電力使用量すなわち使用状況の変化（傾向）が視覚的にわかりやすくなる。
【００６３】
（実施形態４）
実施形態４に係る表示システム１は、ピーク電力目標値（総電力使用量の上限値）を設定する点で、実施形態２に係る表示システム１と相違する。なお、実施形態２の表示システム１と同様の構成要素については、同一の符号を付して説明を省略する。
【００６４】
本実施形態の表示制御装置３は、図９に示すように、ピーク設定部３８を備えている。ピーク設定部３８は、ピーク電力目標値を設定する。まず、表示部２１は、表示制御部３５の制御に従って、図１０に示すピーク電力目標値の設定画面７２を表示する。ピーク設定部３８は、設定画面７２上でのユーザの操作によってピーク電力目標値を設定する。
【００６５】
また、本実施形態の表示制御部３５は、図９に示すように、第３の表示制御部３５３として機能する。第３の表示制御部３５３は、ピーク設定部３８で設定されたピーク電力目標値を表示するように操作表示装置２を制御する。なお、実施形態３の表示制御部３５（図５参照）と同様の機能については説明を省略する。
【００６６】
本実施形態の表示部２１は、第３の表示部２１３として機能する。第３の表示部２１３は、第３の表示制御部３５３の制御に従って、ピーク電力目標値を第１の図形５１および総電力使用量と同時に表示する。これにより、ピーク電力超過の抑止力となる。なお、実施形態３の表示部２１（図５参照）と同様の機能については説明を省略する。
【００６７】
さらに、本実施形態の機器制御部３７は、複数の機器４，４，４の総使用電力量が、ピーク設定部３８で設定されたピーク電力目標値を超えないように各機器４を制御する。各機器４は、機器制御部３７の制御に従って動作する。なお、実施形態３の機器制御部３７（図５参照）と同様の機能については説明を省略する。
【００６８】
本実施形態の記憶部３６は、本実施形態の表示システム１を本実施形態の操作表示装置２および本実施形態の表示制御装置３として機能させるためのプログラムを格納している。なお、実施形態３の記憶部３６と同様の機能については説明を省略する。
【００６９】
次に、本実施形態に係る表示システム１においてピーク電力目標値を用いて機器４を制御する動作について図１１を用いて説明する。まず、機器制御部３７はピーク設定部３８からピーク電力目標値を読み込む（Ｓ１１）。また、機器制御部３７は演算部３３から総電力使用量を読み込む（Ｓ１２）。総電力使用量がピーク電力目標値よりも大きい場合（Ｓ１３のＹｅｓ）、機器制御部３７は、総電力使用量がピーク電力目標値よりも小さくなるように機器４を制御する（Ｓ１４）。一方、総電力使用量がピーク電力目標値よりも小さい場合（Ｓ１３のＮｏ）、機器制御部３７は、機器４を制御せずに終了する。本実施形態の表示システムは、ステップＳ１１〜Ｓ１４の動作を定期的に実施する。
【００７０】
なお、総電力使用量がピーク電力目標値よりも小さくなるように機器４を制御する際、機器制御部３７は、表示システム１に実装されている何らかのアルゴリズムに従って機器４を制御する。当該アルゴリズムとは、例えば、電力使用量の大きい機器４から順に電力使用量を削減するなどである。ただし、特性情報６（図３参照）の制御可否が「可」である機器４のみが制御対象である。総電力使用量がピーク電力目標値よりも小さくなるまで、機器制御部３７は、上記の動作を繰り返す。
【００７１】
以上説明した本実施形態の表示システム１では、ピーク電力目標値（総使用電力量の上限値）を設定して表示することによって、ユーザに対して、機器４の使用上限を徹底させることができる。
【００７２】
また、本実施形態の表示システム１は、総電力使用量がピーク電力目標値を超えないように複数の機器４，４，４の少なくとも１つを制御することによって、総電力使用量をピーク電力目標値以下の範囲に抑えることができる。
【００７３】
なお、本実施形態のピーク電力目標値（総電力使用量の上限値）を設定する技術を実施形態３の表示システム１に適用してもよい。
【００７４】
また、本実施形態の総使用電力量がピーク電力目標値よりも小さくなるように各機器４を制御する技術を実施形態３の表示システム１に適用してもよい。
【００７５】
（実施形態５）
実施形態５に係る表示システム１は、ピーク電力目標値（総電力使用量の上限値）を外部から取得する点で、実施形態４に係る表示システム１と相違する。なお、実施形態４の表示システム１と同様の構成要素については、同一の符号を付して説明を省略する。
【００７６】
本実施形態のピーク設定部３８は、図１２に示すように、ピーク電力目標値を外部装置８から取得して設定する。外部装置８は、例えば電力会社のサーバなどであり、ネットワーク８１に接続されている。なお、実施形態４のピーク設定部３８（図９参照）と同様の機能については説明を省略する。
【００７７】
第３の表示部２１３は、第３の表示制御部３５３の制御に従って、図１３に示すように、表示画面７３上に現状のピーク電力目標値を表示する。なお、実施形態４の第３の表示部２１３（図９参照）と同様の機能については説明を省略する。
【００７８】
本実施形態の記憶部３６は、本実施形態の表示システム１を本実施形態の操作表示装置２および表示制御装置３として機能させるためのプログラムを格納している。なお、実施形態４の記憶部３６と同様の機能については説明を省略する。
【００７９】
以上説明した本実施形態の表示システム１では、ピーク電力目標値（上限値）を外部から取得して設定することによって、例えば電力会社などが設定したピーク電力目標値を用いることができる。
【００８０】
なお、各実施形態において、電力使用量は、ある時間帯（例えば３０分間）での電力を積算した電力量（積算電力：単位Ｗｈ）に限らず、電力（瞬時電力：単位Ｗ）であってもよい。瞬時電力は、ある時刻の電力であってもよいし、例えば３０秒間〜１分間など、電力量の時間帯に比べて比較的短い時間の積算電力であってもよい。また、瞬時電力は、当該比較的短い時間での平均電力であってもよい。また、実施形態４，５において、ピーク電力目標値は、電力量に限らず、電力であってもよい。
【００８１】
各実施形態の変形例として、操作表示装置２と表示制御装置３とが別体に設けられていてもよい。本変形例の操作表示装置２は、例えばパーソナルコンピュータなどである。本変形例の表示システム１は、操作表示装置２と表示制御装置３との間で通信によって情報の授受を行う。この場合、操作表示装置２は、表示制御装置３と通信するための表示側通信部（図示せず）を備え、表示制御装置３は、操作表示装置２と通信するための制御側通信部（図示せず）を備える。
【００８２】
また、本変形例の場合、操作表示装置２は、当該操作表示装置２を表示部２１および操作部２２として機能させるためのプログラムを格納している。操作表示装置２は、各実施形態の表示システム１のためのプログラムと同様、当該操作表示装置２のためのプログラムを出荷時に予め格納してもよいし、当該プログラムを出荷後にコンピュータ読み取り可能な記録媒体を用いて取得してもよいし、当該プログラムを他の装置からダウンロードして取得してもよい。また、表示制御装置３は、当該表示制御装置３を取得部３２、演算部３３、作成部３４、表示制御部３５および機器制御部３７として機能させるためのプログラムを格納している。表示制御装置３は、各実施形態の表示システム１のためのプログラムと同様、当該表示制御装置３のためのプログラムを出荷時に予め格納してもよいし、当該プログラムを出荷後にコンピュータ読み取り可能な記録媒体を用いて取得してもよいし、当該プログラムを他の装置からダウンロードして取得してもよい。
【００８３】
本変形例のように操作表示装置２と表示制御装置３とが別体に設けられる場合、操作表示装置２は、表示機能を有する可搬型装置であってもよい。当該可搬型装置としては、例えばスマートフォンなどがある。
【符号の説明】
【００８４】
１  表示システム
２  操作表示装置
２１１  第１の表示部
２１２  第２の表示部
２１３  第３の表示部
２２  操作部
３  表示制御装置
３２  取得部
３３１  第１の演算部
３３２  第２の演算部
３４１  第１の作成部
３４２  第２の作成部
３５１  第１の表示制御部
３５２  第２の表示制御部
３５３  第３の表示制御部
３６１  履歴記憶部
３６２  特性記憶部
３７  機器制御部
３８  ピーク設定部
４  機器
５１  第１の図形
５２  選択図形
５８  第１の図形
６  特性情報
【図１】
2014087111.tif 000003
【図２】
2014087111.tif 000004
【図３】
2014087111.tif 000005
【図４】
2014087111.tif 000006
【図５】
2014087111.tif 000007
【図６】
2014087111.tif 000008
【図７】
2014087111.tif 000009
【図８】
2014087111.tif 000010
【図９】
2014087111.tif 000011
【図１０】
2014087111.tif 000012
【図１１】
2014087111.tif 000013
【図１２】
2014087111.tif 000014
【図１３】
2014087111.tif 000015